(57)【要約】【課題】コピー（カット）＆ペースト機能で保持される文字列を容易に確認することが可能な移動無線端末装置を提供する。【解決手段】制御部２００は、サブメニューを通じて受け付ける命令として、「コピー」、「コピービュー」および「貼付け」がある。キー入力部１３２を通じて、「コピー」の命令をユーザから受け付けると、制御部２００は、指定される文字列をクリップボード記憶エリア１４０ａの記憶領域に記録し、「コピービュー」の命令を受け付けると、クリップボード記憶エリア１４０ａに記憶される文字列を表示部１３１に表示制御し、「貼付け」の命令を受け付けると、クリップボード記憶エリア１４０ａに記憶される文字列を、指定される文字入力領域に入力するようにしたものである。【選択図】　　図１
2004030268.tif 000002
【特許請求の範囲】
【請求項１】
移動通信網に接続可能な基地局と無線通信する移動無線端末装置において、
ユーザからの指示を受け付ける入力手段と、
視覚的に情報を表示する表示手段と、
前記入力手段を通じた指示により指定される情報を記憶する記憶手段と、
前記入力手段を通じた指示に応じて、前記表示手段に表示している情報を他の情報に付加する編集手段と、
前記入力手段を通じた指示に応じて、前記記憶手段が記憶する情報を前記表示手段に表示させる表示制御手段とを具備することを特徴とする移動無線端末装置。
【請求項２】
前記記憶手段は、複数の情報を記憶し、
前記表示制御手段は、前記記憶手段が記憶する複数の情報を、前記入力手段を通じた指示に応じて、一覧にして前記表示手段に表示させることを特徴とする請求項１に記載の移動無線端末装置。
【請求項３】
前記記憶手段は、複数の情報を記憶し、
前記表示制御手段は、前記記憶手段が記憶する複数の情報を、前記入力手段を通じて指示が与えられる度に、順次、前記表示手段に表示させることを特徴とする請求項１に記載の移動無線端末装置。
【請求項４】
前記記憶手段は、複数の情報を記憶し、
前記表示制御手段は、前記記憶手段が記憶する複数の情報を、前記入力手段を通じた指示に応じて、一覧にして前記表示手段に表示させるものであって、
前記入力手段を通じた指示に応じて、前記表示手段に表示している情報を選択的に他の情報に付加する編集手段を備えることを特徴とする請求項１に記載の移動無線端末装置。
【請求項５】
前記記憶手段は、複数の情報を記憶し、
前記表示制御手段は、前記記憶手段が記憶する複数の情報を、前記入力手段を通じて指示が与えられる度に、順次、前記表示手段に表示させるものであって、前記入力手段を通じた指示に応じて、前記表示手段に表示している情報を選択的に他の情報に付加する編集手段を備えることを特徴とする請求項１に記載の移動無線端末装置。
【請求項６】
前記記憶手段は、複数の情報を記憶し、
前記表示制御手段は、前記入力手段を通じた要求に応じて選択的に、前記記憶手段が記憶する複数の情報を一覧にして表示させたり、あるいは前記入力手段を通じて指示が与えられる度に前記記憶手段が記憶する複数の情報を前記表示手段に順次表示させることを特徴とする請求項１に記載の移動無線端末装置。
【発明の詳細な説明】
【０００１】
【発明の属する技術分野】
この発明は、例えばＰＨＳ（Ｐｅｒｓｏｎａｌ　Ｈａｎｄｙｐｈｏｎｅ　Ｓｙｓｔｅｍ）や携帯電話システムをはじめとする移動通信システムで用いられる移動無線端末装置に関する。
【０００２】
【従来の技術】
近時、ＰＨＳや携帯電話システムをはじめとする移動通信システムで用いられる移動無線端末装置は、音楽再生機能や、インターネットを介した通信機能として電子メールの送受信機能やｗｅｂブラウザ機能、ディジタルカメラによる撮像機能、ＭＰＥＧ（Ｍｏｖｉｎｇ　Ｐｉｃｔｕｒｅ　Ｅｘｐｅｒｔｓ　Ｇｒｏｕｐ）技術を用いた動画再生機能などを備えるようになった。
【０００３】
また電子メールをはじめとする文字データを編集する機能にあっては、ユーザの要求に応じた任意の文字列を、バッファにコピー（あるいは切り取り）しておき、これを必要に応じて文字入力に用いるコピー（カット）＆ペースト機能を備えている。
【０００４】
この機能により、同じ文字列の入力が容易になったが、ユーザはどのような内容の文字列がバッファ内に保持されているかわからなかった。
このため、従来は、一旦バッファ内の文字列を貼り付けて、その内容を確認し、不適当な内容の場合には、削除するなどの操作を行うことになるので、利便性の面で問題があった。
【０００５】
【発明が解決しようとする課題】
従来の移動無線端末装置では、コピー（カット）＆ペースト機能を用いるにあたり、どのような内容の文字列がバッファ内に保持されているかわからないという問題があった。
【０００６】
この発明は上記の問題を解決すべくなされたもので、コピー（カット）＆ペースト機能で保持される文字列を容易に確認することが可能な移動無線端末装置を提供することを目的とする。
【０００７】
【課題を解決するための手段】
上記の目的を達成するために、この発明は、移動通信網に接続可能な基地局と無線通信する移動無線端末装置において、ユーザからの指示を受け付ける入力手段と、視覚的に情報を表示する表示手段と、入力手段を通じた指示により指定される情報を記憶する記憶手段と、入力手段を通じた指示に応じて、表示手段に表示している情報を他の情報に付加する編集手段と、入力手段を通じた指示に応じて、記憶手段が記憶する情報を表示手段に表示させる表示制御手段とを具備して構成するようにした。
【０００８】
上記構成の移動無線端末装置では、入力手段を通じた指示に応じて、記憶手段が記憶する情報を表示手段に表示するようにしている。
したがって、上記構成の移動無線端末装置によれば、編集手段によって、記憶手段が記憶する情報を他の情報に付加する前に、記憶手段が記憶する情報を容易に確認することができる。
【０００９】
【発明の実施の形態】
以下、図面を参照して、この発明の一実施形態について説明する。
図１は、その構成を示すもので、この図に示す移動無線端末装置は、基地局ＢＳとの間で、ＣＤＭＡ（Ｃｏｄｅ　Ｄｉｖｉｓｉｏｎ　Ｍｕｌｔｉｐｌｅ　Ａｃｃｅｓｓ）方式によって無線通信を行うものを例に挙げている。
【００１０】
基地局ＢＳから送信され、アンテナ１０１で受信された無線周波信号は、アンテナ共用器１０２に入力される。アンテナ共用器１０２は、受信用フィルタ１０２ａと送信用フィルタ１０２ｂとからなる。
【００１１】
アンテナ１０１より入力された無線周波信号のうち、基地局ＢＳから送信された無線周波信号は、受信用フィルタ１０２ａを通過して、受信部（ＲＸ）１０３に出力される。なお、この無線周波信号は送信用フィルタ１０２ｂにより、後述の送信部１０５に入力されることはない。
【００１２】
受信部１０３では、上記無線周波信号を周波数シンセサイザ（ＳＹＮ）１０４から入力された受信局部発振信号とミキシングして中間周波信号に周波数変換する。
【００１３】
なお、上記周波数シンセサイザ１０４にて発生される受信局部発振信号の周波数は、制御部２００からの制御信号によって制御される。また、受信部１０３は、制御部２００から指定される周波数の無線信号の受信電界強度を検出する機能を備える。
【００１４】
受信部１０３にて得られた中間周波信号は、ＣＤＭＡ信号処理部１０６において、直交復調処理が施されたのち、逆拡散処理が施されて、データレートに応じた所定のフォーマットの受信データに変換され、この受信データのうち、データレートを示すデータと、音声通話のための音声データ以外のデータ（電子メールのデータや、動画像データ）については制御部２００に出力され、上記音声データについては音声符号処理部１０７に出力される。
【００１５】
またＣＤＭＡ信号処理部１０６は、上記受信データから、当該移動無線端末装置宛ての着信の発生、および着信時に基地局ＢＳから通知される発信元の電話番号を検出し、これらの検出結果を制御部２００に通知する。
【００１６】
音声符号処理部１０７は、上記ＣＤＭＡ信号処理部１０６にて得られた音声データに対して、制御部２００から通知される受信データレートに応じた伸長処理を施し、この処理結果をＰＣＭ符号処理部１０８に出力する。
【００１７】
ＰＣＭ符号処理部１０８は、音声符号処理部１０７にて伸張された音声データを復号してアナログ受話信号を得る。このアナログ受話信号は、増幅器１０９にて増幅された後スピーカ１１０より拡声出力される。
【００１８】
一方、話者の入力音声は、マイクロホン（Ｍ）１１１を通じてアナログ送話信号として入力され、増幅器１１２で適正レベルまで増幅された後、ＰＣＭ符号処理部１０８にてＰＣＭ符号化処理が施され、音声データとして音声符号処理部１０７に出力される。
【００１９】
音声符号処理部１０７は、ＰＣＭ符号処理部１０８から出力される音声データより入力音声のエネルギー量を検出し、この検出結果に基づいてデータレートを決定し、制御部２００に通知する。そして、上記音声データを上記データレートに応じたフォーマットのバースト信号に圧縮し、ＣＤＭＡ信号処理部１０６に出力する。
【００２０】
ＣＤＭＡ信号処理部１０６は、上記音声符号処理部１０７にて圧縮されたバースト信号、あるいは制御部２００より入力される送信電子メールや動画像のデータに対して、送信チャネルに応じたＰＮ符号を用いて拡散処理を施す。そしてこの処理結果に対して、直交変調処理を施し、直交変調信号として送信部（ＴＸ）１０５に出力する。
【００２１】
なお、制御部２００から、例えば着信に対して応答するなどの指示があった場合には、ＣＤＭＡ信号処理部１０６は、対応する制御データを上記拡散処理結果に付加して直交変調処理を実施する。
【００２２】
送信部１０５は、上記直交変調信号を送信局部発振信号と合成して無線周波信号に変換し、制御部２００により通知される送信データレートに基づいて、上記無線周波信号の有効部分だけを高周波増幅して、アンテナ共用器１０２に出力する。なお上記送信局部発振信号は、周波数シンセサイザ１０４にて生成されるもので、制御部２００からの制御信号に応じた周波数の発振信号である。
【００２３】
アンテナ共用器１０２に入力された送信部１０５からの無線周波信号は、送信用フィルタ１０２ｂにより、送信帯域の無線周波信号のみがアンテナ１０１に出力されて、上記基地局ＢＳに向けて空間に放射される。尚、この送信帯域の無線周波信号は、受信用フィルタ１０２ａにより、受信部１０３に入力されることはない。
【００２４】
着信報知部１２０は、当該端末装置宛てに着信があった場合に、制御部２００の制御によりユーザに対して着信を報知するもので、可聴音を発して報知を行なう発音体１２１と、発光により報知を行なう発光体１２２と、例えば偏心モータなどにより振動を発生して報知を行なう振動体１２３とからなる。
【００２５】
ユーザインターフェイス部１３０は、表示部１３１およびキー入力部１３２とからなる。表示部１３１は、例えばＬＣＤ（Ｌｉｑｕｉｄ　Ｃｒｙｓｔａｌ　Ｄｉｓｐｌａｙ）やＥＬ（Ｅｌｅｃｔｒｏ　Ｌｕｍｉｎｅｓｃｅｎｃｅ）などからなりユーザに対して自機の状態（発信／着信、バッテリ残量、受信強度）や記憶部１４０から読み出したダイヤルデータ、および動画像、文字情報を含む種々の画像を視覚的に示すためのものである。
【００２６】
キー入力部１３２は、ダイヤル番号や文字の入力を行なうためのテンキーなど発着信や電子メール作成に用いるキーの他、アラーム報知、着信報知方法（可聴音／発光／バイブレータ／報知なし）の切り換えなどの各種設定や種々の機能を利用するためのファンクションキーを備えたものである。
【００２７】
記憶部１４０は、例えばＲＯＭやＲＡＭなどの半導体メモリを記憶媒体としたもので、この記憶媒体には、種々の制御データや、例えば名前と電話番号、電子メールアドレスなどを対応づけた電話帳データ、電子メールや画像、楽曲のデータ、アプリケーションソフトウェアなどを記憶する領域のほか、クリップボード記憶エリア１４０ａを備える。
【００２８】
クリップボード記憶エリア１４０ａは、後述するサブメニューを通じたユーザからの要求に応じて、電子メールの宛先や題名、本文をはじめとする文字列のデータをコピーして、一時的に保持するための領域である。
【００２９】
画像処理部１５０は、音声を伴う画像データの処理を行うもので、例えばＭＰＥＧ（Ｍｏｖｉｎｇ　Ｐｉｃｔｕｒｅ　Ｅｘｐｅｒｔｓ　Ｇｒｏｕｐ）−４／Ｈ．３２４（Ａｎｎｅｘ　Ｃ）を実現する画像処理用のＬＳＩを搭載したもので、ＭＰＥＧ−４ビデオ符号化処理、音声／オーディオ符号化処理、Ｈ．２２３多重分離処理などを行う。
【００３０】
そして、例えば制御部２００からの指示に応じて、記憶部１４０に記憶される動画データを再生出力するために、このデータを読み出して、これに所定の画像処理を施して画像データと音声データを得て、画像データをドライバ１６０に出力するとともに、音声データをＰＣＭ符号処理部１０８に出力する。
【００３１】
また、テレビ電話通信を行う場合には、通信相手から受信した動画像データが制御部２００から入力され、これに所定の画像処理を施して、ドライバ１６０に出力するとともに、カメラ１７０にて撮像した画像に所定の符号化処理を施して、制御部２００に出力する。
【００３２】
ドライバ１６０は、画像処理部１５０より入力される画像データに基づいて、表示部１３１を駆動制御して、静止画像および動画像の表示制御を行う。
【００３３】
カメラ１７０は、ＣＣＤ（Ｃｈａｒｇｅ−Ｃｏｕｐｌｅｄ　Ｄｅｖｉｃｅ）やＣＭＯＳ（Ｃｏｍｐｌｅｍｅｎｔａｒｙ　Ｍｅｔａｌ　Ｏｘｉｄｅ　Ｓｅｍｉｃｏｎｄｕｃｔｏｒ）を撮像素子として採用する電子カメラで、撮像信号は画像処理部１５０に出力される。
【００３４】
なお、画像処理部１５０からＰＣＭ符号処理部１０８に出力された音声データは、ＰＣＭ符号処理部１０８にてアナログ音声信号に変換された後、増幅器１１３で増幅され、スピーカ１１４より拡声出力される。
また、増幅器１１３の増幅のレベルは、制御部２００によって制御される。
【００３５】
制御部２００は、ＣＰＵ、ＲＯＭおよびＲＡＭなどを有してなるものであり、上記ＣＰＵが上記ＲＯＭに記憶される制御プログラムや制御データに従って、当該移動無線端末装置の各部を統括して制御するものである。
【００３６】
その主たる制御としては、受信部１０３、周波数シンセサイザ１０４、送信部１０５およびＣＤＭＡ信号処理部１０６を制御して、基地局ＢＳとの間にＣＤＭＡ方式の無線通信による通信リンクを開設し、基地局ＢＳが収容される移動通信網を通じて音声通信やテレビ電話通信、電子メールの送受信や、通信相手側でストリーミング再生が可能な動画像データ送信などのデータ通信を行なう通信制御機能を備える。
テレビ電話通信をはじめ、動画像を用いた通信を実施する場合には、上述した画像処理部１５０と連携して、動画像の送受信や再生出力を行う。
【００３７】
また、制御部２００は、キー入力部１３２を通じたユーザからの要求に応じて、上記の各部を制御し、電子メールの作成・送受信を行うメールプログラムや、動画像データの再生出力を行う動画再生プログラム、着信メロディのデータ作成や設定を行うメロディ編集プログラム、音楽データファイルに基づいて楽曲再生を行う楽曲再生プログラム、会話などの録音・再生を行うボイスレコーダプログラムなど、アプリケーションソフトウェアを上述の記憶部１４０から読み込んで選択的に実行することができる。
【００３８】
そして、制御部２００は、上述した機能を発揮するに当たり、表示部１３１にメニューやサブメニューを表示し、これらのメニューを通じてユーザから種々の命令を受け付ける。
【００３９】
そしてまた、制御部２００は、上記サブメニューを通じて受け付ける命令として、「コピー」、「コピービュー」および「貼付け」がある。
キー入力部１３２を通じて、「コピー」の命令をユーザから受け付けると、制御部２００は、指定される文字列を上記クリップボード記憶エリア１４０ａの記憶領域に記録する制御を行う。
【００４０】
またキー入力部１３２を通じて、「コピービュー」の命令をユーザから受け付けると、制御部２００は、上記クリップボード記憶エリア１４０ａに記憶される文字列を表示部１３１に表示する制御を行う。
【００４１】
そしてキー入力部１３２を通じて、「貼付け」の命令をユーザから受け付けると、制御部２００は、上記クリップボード記憶エリア１４０ａに記憶される文字列を、指定される文字入力領域に記録する制御を行う。
【００４２】
１８１は電源回路であり、バッテリ１８０の出力を基に所定の動作電源電圧Ｖｃｃを生成して各回路に供給する。
【００４３】
次に、上記構成の移動無線端末装置の動作について説明する。
なお、以下の説明では、サブメニューに関わる動作について説明し、通常の音声通信・テレビ電話やデータ通信に関わる制御や、各アプリケーションソフトウェアに基づく動作についての説明は省略する。
【００４４】
また、以下では特に、文字列の「コピー」、「コピービュー」、「貼付け」の各動作を説明するために、電子メールを作成する際のサブメニューに関わる動作を例に挙げて説明する。
【００４５】
電子メールの作成処理が開始されると、図２に示すように、「宛先」、「題名」、「本文」、「添付ファイル」の４つの入力欄を有する表示が表示部１３１になされ、これらの入力欄に対してユーザが入力や添付の設定の作業を行う。なお、上記４つの入力欄のうち、「宛先」の入力は必須となっている。
【００４６】
そして、入力の受付処理中に、サブメニューの表示要求がなされると、図３に示すような処理が制御部２００によって開始される。
なお、サブメニューの表示要求は、ユーザがキー入力部１３２を操作して、上記４つの項目の入力欄のうち、命令の対象となる項目の入力欄にフォーカスｆ（図２中の太枠）を合わせた状態か、あるいはいずれかの入力欄に入力を行っている時に、サブメニューに対応するキーを操作することによりなされる。
以下の説明では、図４に示すように、本文の入力欄において入力を行っている際に、サブメニューの表示要求を行った場合を例に挙げて説明する。
【００４７】
まず、ステップ３ａでは、図５に示すように、表示部１３１において、本文の入力欄上に重ねて、サブメニューを表示した後に、キー入力部１３２を通じてユーザから命令を受け付け、ステップ３ｂに移行する。
【００４８】
ステップ３ｂでは、ステップ３ａで受け付けた命令が、「コピー」、「コピービュー」、「貼付け」のいずれであるかを判定する。
ここで、「コピー」の命令を受けた場合には、ステップ３ｃに移行し、「コピービュー」の命令を受けた場合には、ステップ３ｆに移行し、「貼付け」の命令を受けた場合には、ステップ３ｈに移行する。
なお、ここで「削除」の命令を受け付けた場合には、図示しない処理により、指定された文字列を削除する。
【００４９】
ステップ３ｃでは、コピーの範囲を指定する指示をキー入力部１３２を通じてユーザから受け付け、ステップ３ｄに移行する。図６に示す例では、「パーソナルコンピュータ」の文字列が指定されている。
【００５０】
ステップ３ｄでは、ステップ３ｃで指定された文字列をコピーしてよい旨の入力が、キー入力部１３２を通じてユーザから与えられたか否かを判定する。
ここで、コピーしてよい旨の入力が与えられた場合には、ステップ３ｅに移行し、よくない旨の入力が与えられた場合には、ステップ３ｃに移行して、再び文字列の指定を受け付ける。
【００５１】
ステップ３ｅでは、ステップ３ｃで指定された文字列を、クリップボード記憶エリア１４０ａに記録し、図７に示すような表示を行った後、当該処理を終了する。
【００５２】
一方、ステップ３ｆでは、クリップボード記憶エリア１４０ａに記憶される文字列のデータを読み出し、ステップ３ｇに移行する。
ステップ３ｇでは、表示部１３１において、図８に示すように、ステップ３ｆで読み出した文字列を、本文の入力欄上に重ねて表示し、当該処理を終了する。
【００５３】
また、ステップ３ｈでは、クリップボード記憶エリア１４０ａに記憶される文字列のデータを読み出し、ステップ３ｉに移行する。
ステップ３ｉでは、図９に示すように、入力欄の現在のカーソルの位置に、ステップ３ｆで読み出した文字列を入力して表示し、当該処理を終了する。
【００５４】
以上のように、上記構成の移動無線端末装置では、キー入力部１３２を通じたユーザからの要求に応じて、クリップボード記憶エリア１４０ａに保持した文字列を、表示部１３１に表示するようにしている。
したがって、上記構成の移動無線端末装置によれば、コピーした文字列を一旦貼り付けるなどして確認しなくても、容易に確認することができる。
【００５５】
尚、この発明は上記実施の形態に限定されるものではない。
例えば、上記実施の形態では、クリップボード記憶エリア１４０ａに保持する文字列は、コピーしたものであるが、切り取った（カットした）文字列であってもよい。
【００５６】
また、上記実施の形態では、クリップボード記憶エリア１４０ａに保持する文字列は、１つの場合を例に挙げて説明したが、複数の文字列を保持する場合にも適用できる。
【００５７】
このように、複数の文字列をクリップボード記憶エリア１４０ａに保持する場合には、キー入力部１３２を通じたユーザからの要求に応じて、順次表示するようにしたり、あるいは一覧表示するようにすればよい。
【００５８】
そして、複数の文字列をクリップボード記憶エリア１４０ａに保持する場合には、保持している文字列の表示方法は、キー入力部１３２を通じたユーザの要求に応じて、選択的に切り替えて、順次表示したり、一覧表示するようにしてもよい。
【００５９】
さらに、複数の文字列をクリップボード記憶エリア１４０ａに保持する場合には、「貼付け」を行う際に、保持している文字列を一覧表示（あるいは順次表示）した後に、キー入力部１３２を通じてユーザから貼り付ける文字列の指定を受け付けて、指定された文字列を貼り付けるようにしてもよい。
【００６０】
そしてまた、上記実施の形態では、電子メールを編集する場合を例に挙げて説明したが、電話帳データをはじめとする他のデータ編集に適用することも可能であり、電子メールからコピーした文字列を電話帳データなどの編集に用いる場合や、その逆の場合にも適用できることはいうまでもない。
【００６１】
さらにまた、上記実施の形態では、クリップボード記憶エリア１４０ａに保持するデータは、文字列として説明したが、静止画像、動画像、あるいは楽曲などのマルチメディアファイルや、文書ファイルであってもよく、キー入力部１３２を通じたユーザの要求に応じて、ファイル名を表示したり、対応するアプリケーションソフトウェアを用いて再生出力するようにしてもよい。
【００６２】
また、これらのファイルを扱い場合にも、複数のファイルを扱うことは可能であり、キー入力部１３２を通じたユーザからの要求に応じて、順次表示するようにしたり、あるいは一覧表示するようにすればよい。
【００６３】
その他、この発明の要旨を逸脱しない範囲で種々の変形を施しても同様に実施可能であることはいうまでもない。
【００６４】
【発明の効果】
以上述べたように、この発明では、入力手段を通じた指示に応じて、記憶手段が記憶する情報を表示手段に表示するようにしている。
したがって、この発明によれば、編集手段によって、記憶手段が記憶する情報を他の情報に付加する前に、記憶手段が記憶する情報を容易に確認することが可能な移動無線端末装置を提供できる。
【図面の簡単な説明】
【図１】この発明に係わる移動無線端末装置の一実施形態の構成を示す回路ブロック図。
【図２】図１に示した移動無線端末装置の表示部に表示される文字の入力欄の一例を示す図。
【図３】図１に示した移動無線端末装置の文字列のコピーに関わる処理を説明するためのフローチャート。
【図４】図３に示した処理により、図１に示した移動無線端末装置の表示部に表示される画像の一例を示す図。
【図５】図３に示した処理により、図１に示した移動無線端末装置の表示部に表示される画像の一例を示す図。
【図６】図３に示した処理により、図１に示した移動無線端末装置の表示部に表示される画像の一例を示す図。
【図７】図３に示した処理により、図１に示した移動無線端末装置の表示部に表示される画像の一例を示す図。
【図８】図３に示した処理により、図１に示した移動無線端末装置の表示部に表示される画像の一例を示す図。
【図９】図３に示した処理により、図１に示した移動無線端末装置の表示部に表示される画像の一例を示す図。
【符号の説明】
１０１…アンテナ
１０２…アンテナ共用器
１０２ａ…受信用フィルタ
１０２ｂ…送信用フィルタ
１０３…受信部（ＲＸ）
１０４…周波数シンセサイザ（ＳＹＮ）
１０５…送信部（ＴＸ）
１０６…ＣＤＭＡ信号処理部
１０７…音声符号処理部
１０８…ＰＣＭ符号処理部
１０９，１１２，１１３…増幅器
１１０，１１４…スピーカ
１１１…マイクロホン（Ｍ）
１２０…着信報知部
１２１…発音体
１２２…発光体
１２３…振動体
１３０…ユーザインターフェイス部
１３１…表示部
１３２…キー入力部
１４０…記憶部
１４０ａ…クリップボード記憶エリア
１５０…画像処理部
１６０…ドライバ
１７０…カメラ
１８０…バッテリ
１８１…電源回路
２００…制御部
【図１】
2004030268.tif 000003
【図２】
2004030268.tif 000004
【図３】
2004030268.tif 000005
【図４】
2004030268.tif 000006
【図５】
2004030268.tif 000007
【図６】
2004030268.tif 000008
【図７】
2004030268.tif 000009
【図８】
2004030268.tif 000010
【図９】
2004030268.tif 000011